(57)【要約】      （修正有）【課題】基底盤の外への連結部材露出による視覚上の心配がなく、銘々のアイディアで自由に設計することのできるゴルフバッグ基底盤を提供する。【解決手段】重量を受ける底板体１と底板体の上側に設けられた環状の直立フランジ２と底板体の下側に配置された支脚３とからなる基底盤本体を備えた組立て式ゴルフバッグ基底盤において、上記底板体の上側に、クラブを搭載する組立て板が取付けられている。上記組立て板と上記基底盤本体とは、例えば弾性の爪部２Ａによる連結、取付用突起による連結、一体縫われての連結などの方法で連結される。また、組立て板と基底盤本体間には、位置決め機構が設けられている。ゴルフバッグ内の例えば仕切りや仕切りの係止板などの部材は、上記組立て板に取付けることができ、その連結部材は基底盤本体内に隠れている。【選択図】図１
0003141785.tif 000002
【実用新案登録請求の範囲】
【請求項１】
重量を受ける底板体（１）と上記底板体（１）の外縁部の上側に設けられた環状の直立フランジ（２）と上記底板体（１）の下側に配置された支脚（３）とからなる基底盤本体と、基底盤本体の内部に組立てられるクラブ搭載用組立て板（４）とを備えたゴルフバッグ基底盤において、
上記組立て板（４）は、その連結部材が上記基底盤内面に隠れるように、バッグ内の仕切りまたは仕切りの係止板と連結できることを特徴とする組立て式ゴルフバッグ基底盤。
【請求項２】
上記組立て板（４）と上記基底盤本体とは、例えば弾性の爪部による連結、取付用突起による連結、一体に縫われての連結など、さまざまな方法で組立てることができることを特徴とする請求項１に記載の組立て式ゴルフバッグ基底盤。
【請求項３】
上記弾性の爪部による連結方法は、上記環状の直立フランジ（２）の内面に、組立て板（４）の離脱を防ぐための爪部（２A）を設ける連結方法であることを特徴とする請求項２に記載の組立て式ゴルフバッグ基底盤。
【請求項４】
上記環状の直立フランジ（２）において上記爪部（２A）の両側部に、爪部の弾性変形を容易にさせるためのスリット（２B）が形成されたことを特徴とする請求項３に記載の組立て式ゴルフバッグ基底盤。
【請求項５】
上記取付用突起による連結方法は、上記底板体（１）の上側に上記組立て板（４）を連結するための取付用突起（１A）が設けられた連結方法であることを特徴とする請求項２に記載の組立て式ゴルフバッグ基底盤。
【請求項６】
上記取付用突起（１A）の頂端部に捩込み用孔が設けられ、ボルト（７）を組立て板（４）の取付用孔（４A）を抜けて上記取付用突起（１A）内に捩じ込むことで、組立て板（４）を底板体（１）の上に組立てることを特徴とする請求項５に記載の組立て式ゴルフバッグ基底盤。
【請求項７】
上記取付用突起（１A）の上半部は上記組立て板（４）の取付用孔（４A）を抜けて、該取付用突起（１A）の上半部のプラスチック材を熱溶融でキノコ状のフランジを形成させることで、組立て板（４）を底板体（１）の上に組立てることを特徴とする請求項５に記載の組立て式ゴルフバッグ基底盤。
【請求項８】
上記一体縫われての連結方法は、組立て板（４）の外縁部に、上記環状の直立フランジ（２）の内面に接するとともに、この環状の直立フランジ（２）と一体に縫われることが可能な直立カフ部（４B）が設けられた連結方法であることを特徴とする請求項２に記載の組立て式ゴルフバッグ基底盤。
【請求項９】
上記組立て板（４）と上記基底盤本体との間に位置決め機構が設けられていることを特徴とする請求項２に記載の組立て式ゴルフバッグ基底盤。
【請求項１０】
上記基底盤本体の底板体（１）はフレーム型構成であって、同じ円心を有する環状のアウトフレーム（１B）及び環状のインナーフレーム（１C）と、円形板（１D）と、上記フレームと板とを連結する半径方向連結部（１E、１F）とを備えるとともに、
上記組立て板（４）は上記底板体（１）のフレームの間隔部に凹んだ凹部（４C、４D、４E）を備えることを特徴とする請求項９に記載の組立て式ゴルフバッグ基底盤。
【考案の詳細な説明】
【技術分野】
【０００１】
本考案はゴルフ用品に関するもので、特に各タイプのゴルフバッグに適用できるような、ゴルフバッグの基底盤に関するものである。
【従来の技術】
【０００２】
従来のゴルフバッグ基底盤として、独立構成のものが広く活用されている。ゴルフバッグ内の鉛直方向に、クラブを導入するとともに、クラブ同士のぶつかり合いを軽減させる仕切りが一般に設けられている。この仕切りの下端部に、係止板が水平方向に縫われるのが一般であり、上記係止板は連結部材によってゴルフバッグの基底盤に固定される。仕切りの係止板と独立構成のゴルフバッグ基底盤の底板体との連結として、リベットがよく使用されている。
【０００３】
しかし、このような連結では、リベットの下端部が基底盤の下側に露出し、視覚上の美観を損なう問題がある。
【考案の開示】
【考案が解決しようとする課題】
【０００４】
本考案の目的は、バッグ基底盤の外面に連結部材が露出する欠点をなくし、仕切りまたはその係止板とバッグ基底盤との間の連結部材が基底盤本体の内面に内蔵できるような、基底盤本体と組立て板との組立てで構成されるゴルフバッグ基底盤を提供することにある。
【課題を解決するための手段】
【０００５】
上記課題を解決するために、本考案のゴルフバッグ基底盤は組立て式のゴルフバッグ基底盤であって、重量を受ける底板体と上記底板体外縁部の上側に設けられた環状の直立フランジと底板体の下方に配置された支脚とから構成された基底盤本体を備え、上記基底盤の内部に、即ち底板体の上方に、クラブを受ける組立て板が取付けられている。上記組立て板と上記基底盤との間の組立て方法として、例えば弾性爪部による固定、取付用突起による固定、一体に縫われての連結などが挙げられる。上記組立て板と上記基底盤本体との間に、位置決め機構が設けられている。上記組立て板はバッグ内の仕切りまたは仕切りの係止板に連結でき、その連結部材は基底盤本体の内に隠れる。
【０００６】
上記弾性爪部による連結では、組立て板の離脱を防止するための爪部が上記環状の直立フランジの内面側に設けられ、更に、上記爪部の両側における環状直立フランジ部に、上記爪部の弾性変形を容易にさせるスリットが設けられている。
【０００７】
上記取付用突起による固定では、組立て板を連結するための取付用突起が底板体の上側に設けられ、更に捻込み用孔が上記取付用突起に設けられ、ボルトを組立て板に形成された取付用孔を抜けて上記取付用突起に捻じ込むことによって、組立て板を底板体の上に固定する。上記取付用突起は、例えばプラスチックからなる機構であっても良く、その高さを上記ボルトの捻込まれる長さより大きいとする。また、上記取付用突起は複数個設けられ、それぞれの下端部が上記底板体と一体になるように構成している。また、プラスチックからなる上記取付用突起は、その上半部が組立て板に形成された取付用孔を抜けて、上記上半部のプラスチック材を熱溶融でキノコ状のフランジを形成させることで、組立て板を底板体の上に組立てるように設計することもできる。
【０００８】
上記一体に縫われての連結方法では、上記環状の直立フランジの内面に接するとともに、環状の直立フランジに縫われることができる直立カフ部が組立て板の外縁部に設けられている。
【考案の効果】
【０００９】
従来のものに比べて、この考案の構成によれば、例えば仕切りや仕切りの係止板などのバッグ内部材は組立て板に連結でき、その間の連結部材が基底盤本体の内面内に隠れるため、設計者は連結部材の露出で外観が損なわれる心配なく、銘々の発想に従って自由にバッグ基底盤の外面をデザインすることができる。
【考案を実施するための最良の形態】
【００１０】
次に図を参照しながら本考案の実施形態を説明する。
【第１の実施形態】
【００１１】
基底盤本体と本体の中に取付けられた組立て板４とを備える組立て式ゴルフバッグ基底盤において、上記組立て板４と上記基底盤本体とは、弾性の爪部によって組立てられる。
【００１２】
図１は基底盤本体の斜視図であって、図２は基底盤本体が上下倒置状態の斜視図である。図３は基底盤本体の正面図であって、図４は基底盤本体の鳥瞰図である。また図５は基底盤本体の断面図である。図の示すように、基底盤本体は、ゴルフバッグに載せられるものの重量を受けるフレーム型底板体１と、底板体１の外縁部の上側に形成されてバッグ本体の下端部に接続可能な環状の直立フランジ２と、底板体のフレームの下方においてその円周に沿って配置されたU型の支脚３とを備える。環状の直立フランジ２の内面に、組立て板４の離脱を防止するための、略三角形の爪部２Aが複数個設けられている。環状の直立フランジ２において上記爪部２Aの両側部には、爪部２Aの弾性変形を容易にさせるための、縦方向に沿ったスリット２Bが形成されている。一方、底板体１は、同じ円心を有する環状のアウトフレーム１Bと、環状のインナーフレーム１Cと、円形板１Dと、環状のアウトフレーム１Bとインナーフレーム１Cとを連結する複数個の大きめな半径方向連結部１Eと、環状のインナーフレーム１Cと円形板１Dとを連結する複数個の小さめな半径方向連結部１Fとを有する。
【００１３】
図６は組立て板４の斜視図であって、図７は組立て板４の上下倒置状態の斜視図である。図８は組立て板４の鳥瞰図であって、図９は組立て板４の断面図である。組立て板４に、底板体１の環状のアウトフレーム１Bと環状のインナーフレーム１Cとの間の間隔部に凹んだ円弧状の凹部４D、底板体１の大きめな半径方向連結部１Eの間隔部に凹んだ例えば略三角形の凹部４E、および円形板１Dに対応するように底板体１の環状インナーフレーム１C内に窪んだ円形の凹部４Cが設けられている。組立て板４の外縁部には、爪部２Aに対応する直立カフ部４Bが設けられ、この直立カフ部４Bの外面は環状の直立フランジ２の内面に密着できる。組立て板４はバッグの仕切りまたは仕切りの係止板に連結でき、その連結部材は基底盤の内に隠れている。
【００１４】
図１０は組立て板４と基底盤本体との組立て開始状態の断面図であって、図１１は組立て板４と基底盤本体との組立て途中状態の断面図である。図１２は組立て板４と基底盤本体との組立て完成状態の断面図であって、図１３は組立て板４と基底盤本体との組立て完成状態の斜視図である。ここで組立て板４は基底盤本体の内部、即ち底板体１の上に取付けられる。その直立カフ部４Bは、組立て板４が底板体１から上へ離脱しないように、環状の直立フランジ２の爪部２Aの三角形底辺に該当する辺の下側に引っ掛かっている。組立て板４の凹部４C、４D、４Eは、底板体１のフレームの間隔区域に凹み、組立て板と基底盤本体との間の位置決め機構を構成する。上記環状の直立フランジ２に形成された２本のスリット２Bは、上記組立てにおいて、組立て板４の外縁部が環状の直立フランジ２に設けられた爪部２Aの三角形の斜辺を押したとき、爪部２Aの設けられた環状の直立フランジ部を弾性変形できるようにさせる。これに対して、組立て板４の、爪部２Aに対応する直立カフ４Bも、内側に弾性変形する。
【００１５】
また、ゴルフバッグ内の仕切りの下端部または仕切りの係止板を先に組立て板４に接続してから、組立て板４を基底盤に取付けても良い。ゴルフバッグ内の部材と組立て板４間の連結部材は基底盤本体によって隠されるため、底板体１の下に露出する恐れがない。従って、連結部材を気にせずに、視覚上の好みによってゴルフバッグ基底盤の外面を設計することができる。
【第２の実施形態】
【００１６】
この実施例２においては、組立て板４と基底盤とは、取付用突起によって組立てられる。
【００１７】
図１４は基底盤本体の斜視図で、図１５は基底盤本体の正面図で、図１６は基底盤本体の断面図である。実施例１に比べて、本実施例においては、環状の直立フランジ２の内面に爪部がなく、スリットも形成されていない。その代わりに、組立て板４の離脱を防ぐために、組立て板４を接続するための複数個の取付用突起１Aが底板体１の上側に設けられ、その頂端部に捩込み用孔が設けられ、その下半部は底板体１と一体になっている。
【００１８】
図１７は組立て板４の斜視図で、図１８は組立て板４の断面図である。実施例１に比べて、本実施例の組立て板４には、底板体１の取付用突起１Aに応じて、取付用孔４Aが設けられている。この取付用孔４Aからボルト７を通すことができる。
【００１９】
図１９は組立て板と基底盤本体との組立て途中状態の断面図で、図２０は組立て板と基底盤本体との組立て完成状態の断面図である。また図２１は組立て板と基底盤本体との組み立て完成状態の斜視図である。図の示すように、組立て板４の取付用孔４Aは、底板体１の取付用突起１Aに対応している。ボルト７を組立て板４の取付用孔４Aを抜けて、取付用突起１Aの頂端部の捩込み用孔に捩じ込むことで、組立て板４を底板体１の上に取り付ける。ここで、ボルト７の長さを取付用突起１Aの高さより小さいとするので、ボルト７の先端側が底板体１を抜けて基底盤の下に露出して視覚上美観を損なう恐れはない。
【００２０】
本実施例の取付用突起１Aはプラスチックからなるが、その上半部は、組立て板４の取付用孔４Aを抜けて組立て板４の上方まで突出しても良い。取付用突起１Aの上半部のプラスチック材を熱溶融でその周りにキノコ状のフランジを形成させることで、組立て板４を底板体１の上に確実に固定させることができる。
【第３の実施形態】
【００２１】
実施例３においては、組立て板４と基底盤本体とは、一体に縫われて連結される。
【００２２】
図２２は基底盤本体の斜視図であって、図２３はその断面図である。実施例２に比べて、この実施例の基底盤本体は、底板体１の上側には取付用突起１Aは設けられていない。
【００２３】
本実施例の組立て板４は実施例１の組立て板４とほぼ同じ構成であって、その外縁部に、外面が環状の直立フランジ２の内面に密接できる直立カフ部４Bが設けられている。
【００２４】
図２４は組立て板と基底盤本体との組立て途中状態の断面図で、図２５は組立て完成状態の断面図である。また図２６は組立て完成状態の左側から見た場合の一部拡大図である。組立て板４の直立カフ部４Bは環状の直立フランジ２に縫われている。図の中の点線は縫われた位置を示している。
【図面の簡単な説明】
【００２５】
【図１】図１は本考案に係る組立て式ゴルフバッグ基底盤の実施例１の基底盤本体の斜視図である。
【図２】図２は本考案に係る組立て式ゴルフバッグ基底盤の実施例１の基底盤本体の上下倒置状態の斜視図である。
【図３】図３はは本考案に係る組立て式ゴルフバッグ基底盤の実施例１の基底盤本体の正面図である。
【図４】図４は本考案に係る組立て式ゴルフバッグ基底盤の実施例１の基底盤本体の鳥瞰図である。
【図５】図５は本考案に係る組立て式ゴルフバッグ基底盤の実施例１の基底盤本体の断面図である。
【図６】図６は本考案に係る組立て式ゴルフバッグ基底盤の実施例１の組立て板４の斜視図である。
【図７】図７は本考案に係る組立て式ゴルフバッグ基底盤の実施例１の組立て板４の上下倒置状態の斜視図である。
【図８】図８は本考案に係る組立て式ゴルフバッグ基底盤の実施例１の組立て板４の鳥瞰図である。
【図９】図９は本考案に係る組立て式ゴルフバッグ基底盤の実施例１の組立て板４の断面図である。
【図１０】図１０は本考案に係る組立て式ゴルフバッグ基底盤の実施例１における、組立て板４と基底盤本体との組立て開始状態の断面図である。
【図１１】図１１は本考案に係る組立て式ゴルフバッグ基底盤の実施例１における、組立て板４と基底盤本体との組立て途中状態の断面図である。
【図１２】図１２は本考案に係る組立て式ゴルフバッグ基底盤の実施例１における、組立て板４と基底盤本体との組立て完成状態の断面図である。
【図１３】図１３は本考案に係る組立て式ゴルフバッグ基底盤の実施例１における、組立て板４と基底盤本体との組立て開始状態の斜視図である。
【図１４】図１４は本考案に係る組立て式ゴルフバッグ基底盤の実施例２の基底盤本体の斜視図である。
【図１５】図１５は本考案に係る組立て式ゴルフバッグ基底盤の実施例２の基底盤本体の正面図である。
【図１６】図１６は本考案に係る組立て式ゴルフバッグ基底盤の実施例２の基底盤本体の断面図である。
【図１７】図１７は本考案に係る組立て式ゴルフバッグ基底盤の実施例２の組立て板の斜視図である。
【図１８】図１８は本考案に係る組立て式ゴルフバッグ基底盤の実施例２の組立て板の断面図である。
【図１９】図１９は本考案に係る組立て式ゴルフバッグ基底盤の実施例２における、組立て板４と基底盤本体との組立て開始状態の断面図である。
【図２０】図２０は本考案に係る組立て式ゴルフバッグ基底盤の実施例２における、組立て板４と基底盤本体との組立て完成状態の断面図である。
【図２１】図２１は本考案に係る組立て式ゴルフバッグ基底盤の実施例２における、組立て板４と基底盤本体との組立て完成状態の斜視図である。
【図２２】図２２は本考案に係る組立て式ゴルフバッグ基底盤の実施例３の基底盤本体の斜視図である。
【図２３】図２３は本考案に係る組立て式ゴルフバッグ基底盤の実施例３の基底盤本体の断面図である。
【図２４】図２４は本考案に係る組立て式ゴルフバッグ基底盤の実施例３における、組立て板４と基底盤本体との組立て途中状態の断面図である。
【図２５】図２５は本考案に係る組立て式ゴルフバッグ基底盤の実施例３における、組立て板４と基底盤本体との組立て完成状態の断面図である。
【図２６】図２６は本考案に係る組立て式ゴルフバッグ基底盤の実施例３における、組立て板４と基底盤本体との組立て完成状態の、左側から見た場合の一部拡大図である。
【図１】
0003141785.tif 000003
【図２】
0003141785.tif 000004
【図３】
0003141785.tif 000005
【図４】
0003141785.tif 000006
【図５】
0003141785.tif 000007
【図６】
0003141785.tif 000008
【図７】
0003141785.tif 000009
【図８】
0003141785.tif 000010
【図９】
0003141785.tif 000011
【図１０】
0003141785.tif 000012
【図１１】
0003141785.tif 000013
【図１２】
0003141785.tif 000014
【図１３】
0003141785.tif 000015
【図１４】
0003141785.tif 000016
【図１５】
0003141785.tif 000017
【図１６】
0003141785.tif 000018
【図１７】
0003141785.tif 000019
【図１８】
0003141785.tif 000020
【図１９】
0003141785.tif 000021
【図２０】
0003141785.tif 000022
【図２１】
0003141785.tif 000023
【図２２】
0003141785.tif 000024
【図２３】
0003141785.tif 000025
【図２４】
0003141785.tif 000026
【図２５】
0003141785.tif 000027
【図２６】
0003141785.tif 000028